(57)【要約】【課題】長時間の観察が可能な視野確保装置を提供する。【解決手段】対物レンズを有する内視鏡６の挿入部８に装着される視野確保装置１。この視野確保装置１は、対物レンズを覆い、対物レンズを覆う部分が透明であり外部に露出されている第１のカバー２４ａと、対物レンズを覆い、対物レンズを覆う部分が透明であり第１のカバー２４ａと切り替えられて外部に露出される第２のカバー２４ｂとを有する。さらに、視野確保装置１は、外部操作により、第１のカバー２４ａを対物レンズを覆う位置から退避させて第１のカバー２４ａと第２のカバー２４ｂとを任意に切り替える切り替え手段２６ａを有する。【選択図】    図１
2005052229.tif 000002
【特許請求の範囲】
【請求項１】
対物レンズを有する内視鏡の挿入部に装着される視野確保装置であって、
前記対物レンズを覆い、前記対物レンズを覆う部分が透明であり外部に露出されている第１のカバーと、
前記対物レンズを覆い、前記対物レンズを覆う部分が透明であり前記第１のカバーと切り替えられて外部に露出される第２のカバーと、
外部操作により、前記第１のカバーを前記対物レンズを覆う位置から退避させて前記第１のカバーと前記第２のカバーとを任意に切り替える切り替え手段とを、
具備することを特徴とする視野確保装置。
【請求項２】
前記第１のカバーと前記第２のカバーとは、積層されていることを特徴とする請求項１の視野確保装置。
【請求項３】
前記第１のカバーと前記第２のカバーとは、連続していることを特徴とする請求項１の視野確保装置。
【発明の詳細な説明】
【０００１】
【発明の属する技術分野】
本発明は、内視鏡の先端部に設けられている対物レンズの視野を確保する視野確保装置に関する。
【０００２】
【従来の技術】
従来、医療分野において、内視鏡の細長い挿入部を体腔内に挿入し、体腔内を観察することが行われている。また、内視鏡観察下、高周波／超音波処置具等の様々な処置具により体腔内の患部等を処置することが行われている。
【０００３】
内視鏡の先端部には、術野の観察を行うための対物レンズが設けられており、この対物レンズの先端面は、外部に露出している。従って、内視鏡が腹腔鏡下手術等に使用される場合、血液、粘液、高周波／超音波処置具による生体組織のミスト等といった様々な汚物が対物レンズに付着する。対物レンズに汚物が付着すると対物レンズの視野が妨げられ、術野の視覚情報が得にくくなる。この結果、適切な観察、処置を行うことができなくなる。従って、対物レンズに付着した汚物を除去する必要がある。
【０００４】
汚物を除去する方法として、内視鏡を体腔内から取り出して、対物レンズをガーゼ等で拭う方法が一般に用いられる。しかしながら、この汚物除去方法では、対物レンズに付着した汚物を確実に除去することが難しく、拭き取り方によって視野の復帰度合いがばらついて一定の効果が得られない。また、特に、汚物の付着が強固な場合には、汚物の除去に長時間が必要となり、手術を中断させ、手術時間の増大を招く。
【０００５】
係る問題を解決するための視野確保装置としてのレンズ防護装置が、特許文献１に開示されている。特許文献１のレンズ防護装置は、対物レンズが挿入部の先端部の外周面に設けられている内視鏡に使用される。
【０００６】
このレンズ防護装置は、帯状の透明薄膜を有する。レンズ防護装置が内視鏡の外周面に装着された状態で、透明薄膜は、対物レンズを覆う状態で配置されている。この透明薄膜の両側方は、対物レンズの両側方に配置されている箱の内部に収容されている。両箱の内部には、巻き取り軸が設けられている。透明薄膜の両側方は、両箱の内部で、巻き取り軸に巻き付けられている。
【０００７】
これら巻き取り軸は、透明薄膜を巻き取るように、渦ばねによって付勢されている。両巻取り軸は、互いに逆方向に付勢され、一方の渦ばねのばね力は、他方の渦ばねのばね力よりも強い。ここで、一方の巻き取り軸には、巻き取り軸の動きを停止させるための止め金が装着されているため、透明薄膜は、通常停止している。この止め金を取り外した場合には、透明薄膜は、張られた状態で長手方向へと摺動される。
【０００８】
各々の箱は、天板の下方に配設されている。これら天板の内側端部は、天板の内側端面の両側方から突出する金属棒によって互いに連結されている。天板の外側端部は、挿入部の外周面にねじ止めされている。なお、内視鏡の挿入部の先端部には、対応するねじ穴が、設けられている。このねじ止めによって、レンズ防護装置の全体が、内視鏡に装着されている。
【０００９】
レンズ防護装置を装着した内視鏡を使用する際には、止め金を外して透明薄膜を摺動させた状態で、体腔内に内視鏡の挿入部を挿入する。内視鏡の先端部の対物レンズは、透明薄膜によって防護される。透明薄膜は、常時摺動しているので、透明薄膜に汚物等が付着した場合には、透明薄膜の汚れた部分は、対物レンズを覆う位置から自動的に移動される。続いて、綺麗な透明薄膜が、対物レンズを覆う。このようにして、対物レンズを覆う透明薄膜は、常時綺麗な状態に保たれ、内視鏡の視野が確保される。
【００１０】
【特許文献１】
実開昭５２−６３９８５号公報
【００１１】
【発明が解決しようとする課題】
特許文献１のレンズ防護装置は、透明薄膜を常時摺動させる構成となっている。このため、透明薄膜の長さによって観察時間が制限され、長時間の観察に用いることができない。
【００１２】
また、汚れていない透明薄膜であっても巻き取ってしまうため、短時間の観察であっても極めて長い透明薄膜が必要となり、大変不経済である。
【００１３】
さらに、このような極めて長い透明薄膜を箱内に収容するため、レンズ防護装置を充分に薄くすることができない。従って、レンズ防護装置を内視鏡に装着した場合には、内視鏡の先端部の外径が太くなり、患者の負担を増すことになる。
【００１４】
そして、レンズ防護装置は、両天板の外端部を内視鏡の挿入部の外周面にねじ止めすることによって内視鏡に装着される。このため、レンズ防護装置の着脱は、煩雑なものとなっている。また、内視鏡の先端部にねじ穴を設ける必要がある。
【００１５】
そしてまた、直視タイプの内視鏡では、対物レンズは、内視鏡の先端面に配設されている。内視鏡の先端面は小さく平らであるため、天板の外端部を配置することが難しい。従って、このレンズ防護装置は、直視タイプの内視鏡には装着することが困難である。
【００１６】
本発明は、上記課題に着目してなされたもので、その目的とするところは、長時間の観察が可能な視野確保装置を提供することである。
【００１７】
【課題を解決するための手段】
請求項１の発明は、対物レンズを有する内視鏡の挿入部に装着される視野確保装置であって、
前記対物レンズを覆い、前記対物レンズを覆う部分が透明であり外部に露出されている第１のカバーと、
前記対物レンズを覆い、前記対物レンズを覆う部分が透明であり前記第１のカバーと切り替えられて外部に露出される第２のカバーと、
外部操作により、前記第１のカバーを前記対物レンズを覆う位置から退避させて前記第１のカバーと前記第２のカバーとを任意に切り替える切り替え手段とを、
具備することを特徴とする視野確保装置である。
【００１８】
そして、本請求項１の発明は、外部操作により切り替え手段を操作して、外部に露出されている第１のカバーを対物レンズを覆う位置から退避させ、第１のカバーと第２のカバーとを切り替えて、内視鏡の対物レンズの視野を確保するようにしたものである。
【００１９】
請求項２の発明は、前記第１のカバーと前記第２のカバーとは、積層されていることを特徴とする請求項１の視野確保装置である。
【００２０】
そして、本請求項２の発明では、第１のカバーと第２のカバーとを積層させており、積層されている第１のカバーと第２のカバーとのうち、汚れた第１のカバーを剥がすことで、汚れていない第２のカバーにより良好な視野を確保することができる。
【００２１】
請求項３の発明は、前記第１のカバーと前記第２のカバーとは、連続していることを特徴とする請求項２の視野確保装置である。
【００２２】
そして、本請求項３の発明では、第１のカバーと第２のカバーとを連続させたものであり、汚れた第１のカバーを移動させることで、汚れていない第２のカバーにより良好な視野を確保することができる。
【００２３】
【発明の実施の形態】
以下、本発明の第１実施形態を図１及び図２を参照して説明する。
【００２４】
図１（Ａ）は、本発明の内視鏡用の視野確保装置１の全体の概略構成を示す。この視野確保装置１は、硬性鏡である内視鏡６（図１（Ｂ）参照）に装着されるシース２を有する。
【００２５】
図１（Ｂ）に示されるように、シース２の先端側には、内視鏡６の挿入部８が挿入される管状部１０が設けられている。この管状部１０の内径は、内視鏡６の挿入部８の外径よりも僅かに大きい。また、管状部１０の先端部は、開放端であり、開口１４が形成されている。
【００２６】
シース２の基端側には、内視鏡６の基端部１６に装着される装着部１２が設けられている。装着部１２には、軸方向に沿って切り欠き部１８が、延設されている。図１（Ｃ）に示されるように、切り欠き部１８の幅は、内視鏡６の基端部１６から径方向に突出しているライトガイドポスト２０の幅よりも小さい。切り欠き部１８の末端部には、ライトガイドポスト２０の外形とほぼ等しい形状を有する拡大部２２が、形成されている。装着部１２の切り欠き部１８の周辺は、ライトガイドポスト２０が、切り欠き部１８の基端部から拡大部２２まで移動可能な程度の可撓性を有する。
【００２７】
再び図１（Ａ）を参照すると、シース２の管状部１０の先端側の大部分は、被覆部材４によって被覆されている。被覆部材４の先端部２４は、管状部１０の先端部の開口１４を覆っている。管状部１０の外周面は、被覆部材４の外周部２６によって覆われている。外周部２６の基端側には、破線状の切り欠き線２８が、軸方向に沿って延設されている。本実施形態では、切り欠き線２８は、被覆部材４の外周部２６の中央部から基端部まで延設されているが、外周部２６の先端部から基端部まで延設されていてもよい。
【００２８】
図１（Ｄ）に示されるように、被覆部材４は、多層に配置された透明薄膜３０ａ，３０ｂ，３０ｃ…によって形成されている。各透明薄膜３０ａ，３０ｂ，３０ｃ…は、互いに密着しており、分離可能である。
【００２９】
各透明薄膜３０ａ，３０ｂ，３０ｃ…の先端部（第１のカバー、第２のカバー）２４ａ，２４ｂ，２４ｃ…は、被覆部材４の先端部２４をなしている。また、各透明薄膜３０ａ，３０ｂ，３０ｃ…の外周部（切り替え手段）２６ａ，２６ｂ，２６ｃ…は、被覆部材４の外周部２６をなしている。そして、各透明薄膜３０ａ，３０ｂ，３０ｃ…の切り欠き線２８ａ，２８ｂ，２８ｃ…（図２参照）は、被覆部材４の切り欠き線２８をなしている。
【００３０】
各透明薄膜３０ａ，３０ｂ，３０ｃ…は、多層に配置された先端部２４ａ，２４ｂ，２４ｃ…を介して、内視鏡の対物レンズによって外部が観察可能な程度に透明である。また、各透明薄膜３０ａ，３０ｂ，３０ｃ…は、各切り欠き線２８ａ，２８ｂ，２８ｃ…に所定の力を加えた場合に、裂くことが可能な材質である。
【００３１】
多層に配置された各透明薄膜３０ａ，３０ｂ，３０ｃ…の外周部２６ａ，２６ｂ，２６ｃ…は、好ましくは、各外周部２６ａ，２６ｂ，２６ｃ…の色が交互に変化するように色をつけられている。例えば、各外周部２６ａ，２６ｂ，２６ｃ…の色は、層毎に青、白、青、白、…のように変化する。
【００３２】
また、各透明薄膜３０ａ，３０ｂ，３０ｃ…には、好ましくは、曇り防止処理が施されている。
【００３３】
次に、図２（Ａ）乃至（Ｄ）を参照して、上記構成の本実施形態の視野確保装置１の作用について説明する。視野確保装置１を内視鏡６に装着する場合、まず、視野確保装置１の装着部１２の開口内に、内視鏡６の挿入部８を挿入する。続いて、視野確保装置１を内視鏡６に対して基端側へと移動させ、管状部１０を挿入部８に外装し、装着部１２を基端部１６に外装する。この際、内視鏡６のライトガイドポスト２０は、切り欠き部１８の基端部に嵌入され、切り欠き部１８内で軸方向に移動され、拡大部２２に達して保持される。このようにして、視野確保装置１は、内視鏡６に装着される。
【００３４】
図２（Ａ）に示されるように、視野確保装置１を装着した状態で、内視鏡６を体腔内に挿入する。内視鏡６の対物レンズにより、被覆部材４の先端部２４を介して、体腔内の組織等を観察する。
【００３５】
内視鏡６による観察中、最も外側の第１の透明薄膜３０ａの先端部２４ａの外面に汚れが付着し場合には、以下に述べる視野確保操作を行う。
【００３６】
まず、視野確保装置１を装着した内視鏡６を体腔内から体外に取り出す。この後、第１の透明薄膜３０ａを視野確保装置１から除去する。即ち、図２（Ｂ）に示されるように、第１の透明薄膜３０ａの切り欠き線２８ａの基端部の一側方３４及び他側方３６を保持して、第１の透明薄膜３０ａを第２の透明薄膜３０ｂから剥がすように引っ張る。すると、図２（Ｃ）に示されるように、第１の透明薄膜３０ａは、切り欠き線２８ａに沿って裂かれていく。上記した一側方３４及び他側方３６をさらに引っ張ると、第１の透明薄膜３０ａは、切り欠き線２８ａの末端部を越えて裂かれていく。そして、一側方３４及び他側方３６を保持して、第１の透明薄膜３０ａの先端部２４ａを第２の透明薄膜３０ｂの先端部２４ｂから剥がして、第１の透明薄膜３０ａを第２の透明薄膜３０ｂから完全に分離する。
【００３７】
この結果、第１の透明薄膜３０ａの先端部２４ａの外面に付着した汚物は、第１の透明薄膜３０ａと共に除去される。このようにして、第１の透明薄膜３０ａの先端部２４ａは、第２の透明薄膜３０ｂの先端部２４ｂに切り替えられ、内視鏡６の視野が、確保される。
【００３８】
続いて、第２の透明薄膜３０ｂが、最も外側に配置された状態で、内視鏡６を体腔内に挿入して観察を行う。第２の透明薄膜３０ｂの先端部２４ｂの外面に汚物が付着した場合には、内視鏡６を取り出して第２の透明薄膜３０ｂを除去して視野を確保する。以下、上記した操作を繰り返すことにより、内視鏡６の視野を確保する。
【００３９】
多層に配置された各透明薄膜３０ａ，３０ｂ，３０ｃ…の外周部２６ａ，２６ｂ，２６ｃ…の色が、交互に変化する場合の作用について説明する。第１の透明薄膜３０ａを第２の透明薄膜３０ｂから分離する際には、第１の透明薄膜３０ａの外周部２６ａと第２の透明薄膜３０ｂの外周部２６ｂとの色の違いに基づき、第１の透明薄膜３０ａが、第２の透明薄膜３０ｂから完全に分離されたかどうか目視により確認する。さらに、第２の透明薄膜３０ｂを第３の透明薄膜３０ｃから分離する際にも、同様に目視確認する。
【００４０】
そこで、上記構成のものにあっては次の効果を奏する。即ち、本実施形態では、視野確保装置１の管状部１０の先端側に、多層に配置された分離可能な複数の透明薄膜３０ａ，３０ｂ，３０ｃ…が、被覆されており、各透明薄膜３０ａ，３０ｂ，３０ｃ…の先端部２４ａ，２４ｂ，２４ｃ…が、内視鏡６の先端部の対物レンズを覆って配置されている。このため、外側の透明薄膜３０ａの先端部２４ａの外面に汚物が付着した場合には、外側の透明薄膜３０ａを内側の透明薄膜３０ｂから剥がして、第１の透明薄膜３０ａの先端部２４ａを第２の透明薄膜３０ｂの先端部２４ｂに切り替えることにより、容易かつ素早く内視鏡の視野を確保することが可能となっている。また、この視野確保操作は、視野確保装置１を内視鏡６から取り外すことなく、多数回にわたって実行可能である。
【００４１】
また、視野確保装置１は、シース２を内視鏡６に外装することにより、内視鏡６に装着される。この際、内視鏡６の基端部１６のライトガイドポスト２０は、シース２の装着部１２の切り欠き部１８の基端部から嵌入され、軸方向に移動され、拡大部２２に達して保持される。このため、何ら工具を用いることなく、視野確保装置１を内視鏡６に容易に装着することが可能である。
【００４２】
そして、視野確保装置１は、内視鏡６の挿入部８に装着される管状部１０の開放端の開口１４並びに被覆部材４の先端部２４を介して、内視鏡６の対物レンズによって外部を観察する構成となっている。このため、この視野確保装置１は、直視タイプの内視鏡に装着し、使用することが可能である。
【００４３】
そしてまた、多層に配置された透明薄膜３０ａ，３０ｂ，３０ｃ…の外周部２６ａ，２６ｂ，２６ｃ…の色が、交互に変化する場合、外側の透明薄膜３０ａの外周部２６ａと内側の透明薄膜３０ｂの外周部２６ｂとの色の違いに基づき、外側の透明薄膜３０ａが、内側の透明薄膜３０ｂから完全に分離されたかどうか目視により確認することが可能である。従って、外側の汚れた透明薄膜３０ａが、完全に除去されたかどうか容易に確認することが可能となっている。
【００４４】
さらに、各透明薄膜３０ａ，３０ｂ，３０ｃ…に曇り防止処理が施されている場合には、体腔内で透明薄膜３０ａ，３０ｂ，３０ｃ…が曇る事が防止される。
このため、透明薄膜３０ａ，３０ｂ，３０ｃ…の曇りの除去のために内視鏡６を度々取り出す必要がない。従って、手術時間が短縮でき、患者の負担を軽減することが可能である。
【００４５】
さらにまた、視野確保装置１は、簡単な構造のシース２に被覆部材４を被覆するだけで形成されている。即ち、全体として機構が簡単なため、安価に提供することができる。
【００４６】
図３乃至図５は、本発明の第２実施形態を示す。第１実施形態と同様な構成には、同一の参照符号を付して説明を省略する。
【００４７】
図３は、本発明の第２実施形態の視野確保装置４０を内視鏡６に装着した状態で示す。視野確保装置４０は、内視鏡６に装着されるシース４２を有する。シース４２の基端部には、後述する保護部材６４（図５参照）を収容する収容部４４が、装着部１２の前方に配設されている。収容部４４は、管状部１０の直径方向に延びている。収容部４４の一方の側面４６の下方には、保護部材６４を切り替えるためのつまみ（切り替え手段）４８が、突設されている。つまみ４８は、収容部４４の側面４６に垂直な軸を中心として回転可能である。
【００４８】
シース４２は、収容部４４を有することを除いては、第１実施形態のシース２とほぼ同様な構成となっている。なお、管状部１０の先端部には、折り返し部４９が、配設されている。折り返し部４９は、内側に向かって突出しており、開口１４の周縁部を覆って延設されている。
【００４９】
また、シース４２は、３つの主要な部品から形成されている。第１の部品と第２の部品とによって、シース２の収容部４４及び装着部１２が形成されており、第３の部品によって管状部１０が形成されている。
【００５０】
シース４２の収容部４４及び装着部１２は、図３に示すように、第１の部品５０と第２の部品５２とを互いに接着固定することによって形成されている。第１の部品５０は、収容部４４の側面４６にほぼ平行で管状部１０の中心軸を通る平面（以下で、中央面という）よりも一側方に位置し、第２の部品５２は、中央面よりも他側方に位置している。第１の部品５０並びに第２の部品５２の先端壁の中央部には、内側に向かって開口する半円状の凹部５３ａ，５３ｂが、形成されている。これら凹部５３ａ，５３ｂは、共同して、収容部４４の先端面の円形の接続孔５４をなしている。
【００５１】
管状部１０は、管状の第３の部品の基端部を接続孔５４に挿入し、収容部４４に接着固定することによって形成されている。
【００５２】
図４及び図５を参照して、本実施形態の視野確保装置１の内部構成を説明する。図４（Ａ）に示されるように、第１の部品５０の収容部４４の内部の側面５６には、第１のボス５８ａと第２のボス５８ｂとが、突設されている。これら第１のボス５８ａと第２のボス５８ｂとは、管状部１０の中心軸に対してほぼ対称な位置に配設され、第１のボス５８ａと第２のボス５８ｂとの間の距離は、内視鏡６の挿入部８の外径よりも大きくなっている。
【００５３】
図４（Ｂ）に示されるように、第１のボス５８ａ並びに第２のボス５８ｂは、上記した中央面にほぼ垂直に延び、第１の部品５０の端面から突出している。第１のボス５８ａ並びに第２のボス５８ｂの先端面は、図４（Ｃ）に示される第２の部品５２の内部の側面６０の僅かに手前に配置されている。第２の部品５２の側壁には、取り付け孔６２が、形成されている。この取り付け孔６２は、第１の部品５０の第２のボス５８ｂの先端面に対面した位置に配設されている。取り付け孔６２は、ほぼ円形であり、その直径は、後述するつまみ４８の取り付け部８４（図５参照）の外径にほぼ等しい。
【００５４】
図５のほぼ中央に、第１のボス５８ａ並びに第２のボス５８ｂに装着されている保護部材６４を示す。この保護部材６４は、帯状の透明薄膜（第１のカバー、第２のカバー）６６を有する。この透明薄膜６６の一端は、筒状の第１の心管６８ａに固定され、他端は、筒状の第２の心管６８ｂに固定されている。透明薄膜６６の両端部は、透明薄膜６６の長手方向が第１の心管６８ａ並びに第２の心管６８ｂの中心軸にほぼ垂直になるように固定されている。
【００５５】
第１の心管６８ａは、透明薄膜６６の繰り出し側の元心管として機能し、初期状態では、透明薄膜６６の大部分が、巻き付けられている。第２の心管６８ｂは、巻取り心管として機能し、初期状態では、透明薄膜６６は、巻き付けられていない。
【００５６】
第１の心管６８ａは、内腔７０ａを有し、一端部に第１の環状面７２ａ、他端部に第２の環状面７４ａを有する。同様に、第２の心管６８ｂは、内腔７０ｂ、第１の環状面７２ｂ並びに第２の環状面７４ｂを有する。
【００５７】
図５の下部に示されるように、第１のボス５８ａの先端側には、細径部７６ａが、配設されている。この細径部７６ａの外径は、保護部材６４の第１の心管６８ａの内径にほぼ等しく、細径部７６ａは、第１の心管６８ａの内腔７０ａに挿通されている。細径部７６ａの先端部は、第１の心管６８ａの第１の環状面７２ａを越えて突出している。
【００５８】
第１のボス５８ａの基端側には、太径部７８ａが配設されている。細径部７６ａと太径部７８ａとの間に、環状の支持面８０ａが形成されている。この支持面８０ａに、第１の心管６８ａの第２の環状面７４ａが当接されている。
【００５９】
同様に、第２のボス５８ｂには、細径部７６ｂ、太径部７８ｂ並びに支持面８０ｂが配設されており、保護部材６４の第２の心管６８ｂが装着されている。
【００６０】
図５の上部に示されるように、つまみ４８には、操作者に把持される円柱状の把持部８２が、配設されている。把持部８２の一方の円形面に、取り付け部８４が突設されている。この取り付け部８４は、把持部８２と同軸の円筒状である。
また、取り付け部８４は、把持部８２よりも細径であり、把持部８２と取り付け部８４との間に、環状の取り付け面８６が形成されている。
【００６１】
取り付け部８４の外径は、保護部材６４の第２の心管６８ｂの外径とほぼ等しく、内径は、第２の心管６８ｂの内径とほぼ等しい。即ち、取り付け部８４の先端環状面８８は、第２の心管６８ｂの第１の環状面７２ｂとほぼ同形である。
【００６２】
取り付け部８４は、第２の部品５２の取り付け孔６２を通って、収容部４４の内部に挿入されている。取り付け部８４の先端環状面８８は、第２の心管６８ｂの第１の環状面７２ｂに接着固定されている。取り付け部８４の内腔９０には、第２のボス５８ｂの細径部７６ｂの先端部が挿入されている。また、取り付け面８６は、第２の部品５２の取り付け孔６２の周縁部に当接されている。
【００６３】
保護部材６４の透明薄膜６６は、図４（Ｂ）に示されるように配置されている。即ち、透明薄膜６６は、収容部４４内の先端側で、管状部１０の中心軸を横切って延びている。また、透明薄膜６６の中心線は、中央面の位置に配置されている。透明薄膜６６の幅は、管状部１０の直径よりも僅かに小さい。
【００６４】
次に、上記構成の本実施形態の視野確保装置４０の作用について説明する。第１実施形態の視野確保装置１と同様に、視野確保装置４０を内視鏡６に装着する。即ち、視野確保装置４０の装着部１２の開口内に内視鏡６の先端部を挿入し、シース４２内で先端側へと移動させていく。すると、内視鏡６の先端面は、収容部４４内を移動されて、透明薄膜６６に当接される。内視鏡６の先端面は、透明薄膜６６に覆われた状態で、管状部１０内を先端側へと移動される。このとき、透明薄膜６６の一端は、第２の心管６８ｂに保持されている。このため、第１の心管６８ａに巻き付けられている透明薄膜６６は、第１の心管６８ａの第１のボス５８ａに対する回転により、第１の心管６８ａから繰り出されていく。繰り出された透明薄膜６６は、内視鏡６の挿入部８に巻きつけられる。巻きつけられた透明薄膜６６は、挿入部８の外周面と管状部１０の内周面との間で、軸方向に沿って配置され、長手方向に摺動される。内視鏡６の先端部は、管状部１０の先端部まで移動される。
【００６５】
視野確保装置４０が、内視鏡６に装着されたとき、図３に示されるように、内視鏡６の先端面は、透明薄膜６６に覆われている。折り返し部４９は、透明薄膜６６が飛び出すのを防止する。
【００６６】
この状態で、内視鏡６を体腔内に挿入して、内視鏡６の先端部の対物レンズによって、透明薄膜６６を介して体腔内の観察を行う。
【００６７】
内視鏡６の対物レンズの先端面を覆っている透明薄膜６６に汚れが付着した場合には、つまみ４８を矢印Ａに示されるように回転する。すると、保護部材６４の第２の心管６８ｂは、第２のボス５８ｂに対して回転されて、透明薄膜６６を巻き取る。この際、透明薄膜６６は、長手方向に摺動されるので、透明薄膜６６の汚れが付着した部分は、対物レンズの先端面を覆う位置から移動され、透明薄膜６６の綺麗な部分が、対物レンズの先端面を覆う。このようにして切り替え操作が行われ、内視鏡６の視野が確保される。
【００６８】
内視鏡６の視野が、確保された後、再び観察を行う。内視鏡６の対物レンズの先端面を覆っている透明薄膜６６に再度汚れが付着した場合には、上記した視野確保操作を繰り返す。
【００６９】
そこで、上記構成のものにあっては次の効果を奏する。即ち、本実施形態では、視野確保装置４０が、内視鏡６に装着された場合、帯状の透明薄膜６６は、内視鏡６の外周面と管状部１０の内周面との間を、管状部１０の基端部から先端部へと延び、内視鏡の先端部の対物レンズの先端面を覆い、再び先端部から基端部へと延び、長手方向に摺動可能である。透明薄膜６６の一端は、繰り出し側の元心管として機能する第１の心管６８ａに固定され、他端は、巻取り管として機能する第２の心管６８ｂに固定されている。第２の心管６８ｂは、体腔外に配置されるつまみ４８によって駆動されて透明薄膜６６を巻取り、透明薄膜６６を長手方向に摺動させる。このため、操作者の外部操作によりつまみ４８を回転させたときにのみ、透明薄膜６６が、長手方向に摺動されて切り替え操作が行われ、透明薄膜６６の汚れていない新しい部分（第２のカバー）により、内視鏡６の視野が確保される。
【００７０】
また、保護部材６４を収容するための収容部４４と、保護部材６４を操作するためのつまみ４８とは、管状部１０の基端部の後方に配設されている。このため、視野確保装置４０が、内視鏡６に装着された場合、内視鏡６の挿入部８は、管状部１０のみに覆われる。従って、体腔内に挿入される部分が、細径となっており、患者の負担を減少する。
【００７１】
さらに、第１実施形態と同様に、何ら工具を用いることなく、視野確保装置４０を内視鏡６に容易に装着することが可能である。また、視野確保装置４０は、直視タイプの内視鏡に使用することが可能である。
【００７２】
次に、本出願の他の特徴的な技術事項を下記の通り付記する。
記
（付記項１）  内視鏡の挿入部に鞘状の内視鏡の視野確保装置を装着する内視鏡の視野確保装置において、透明薄膜を内視鏡の挿通させる管状部材の先端に配置し、内視鏡の観察視野内の透明薄膜面を内視鏡の視野外に退避させる手段と、
前記面を退避させると同時に新しい面が内視鏡の観察視野内に現れることを特徴とする内視鏡の視野確保装置。
【００７３】
（付記項２）  第一の請求項において、内視鏡の観察視野内の透明薄膜面を内視鏡の視野外に退避させる手段は、前記内視鏡の視野確保装置の挿入部と先端面に、分離可能な多層に透明薄膜を成形し、前記多層の透明薄膜の一部に全層に渡る切り欠きを設け、この切り欠きをガイドとして一層一層、透明薄膜を分離することによって成すことを特徴とする内視鏡の視野確保装置。
【００７４】
（付記項３）  第一の請求項において、内視鏡の観察視野内の透明薄膜面を内視鏡の視野外に退避させる手段は、前記内視鏡の視野確保装置の先端面に、一層の透明薄膜を配置し、且つ、前記透明薄膜が帯状で、前記視野確保装置の挿入部の全長方向にスライド可能とした事を特徴とする内視鏡の視野確保装置。
【００７５】
（付記項４）  内視鏡の挿入部に装着される装着部材と、
この装着部材に設けられ、内視鏡の対物レンズを覆う使用部分と外部に露出されない未使用部分とを有する透明なカバー部材と、
このカバー部材の使用部分と未使用部分とを外部操作により任意に切り替え操作する切り替え手段とを、具備することを特徴とする内視鏡視野確保装置。
【００７６】
（付記項５）  前記装着部材は、内視鏡の挿入部に装着される管状部を有するシースであることを特徴とする付記項４の内視鏡視野確保装置。
【００７７】
（付記項６）  前記カバー部材は、対物レンズを覆い多層に配置された分離可能な複数の透明膜であり、前記切り替え手段は、前記透明膜の各々に設けられている除去手段であり、前記複数の透明膜は、前記除去手段を操作することにより外側の透明膜から順次除去されることを特徴とする付記項５の内視鏡視野確保装置。
【００７８】
（付記項７）  前記カバー部材は、帯状の透明膜であり、この透明膜は、前記シース内を基端部から先端部まで挿通されて対物レンズを覆って先端部から基端部まで挿通され、長手方向に摺動可能であり、前記切り替え手段は、前記シースの基端部に設けられ、前記透明膜を長手方向に摺動させることを特徴とする付記項５の内視鏡視野確保装置。
【００７９】
【発明の効果】
本発明によれば、内視鏡による長時間の観察が可能となっている。
【図面の簡単な説明】
【図１】（Ａ）は、本発明の第１実施形態の視野確保装置を示す斜視図、（Ｂ）は、本発明の第１実施形態の視野確保装置を内視鏡に装着した状態で示す説明図、（Ｃ）は、本発明の第１実施形態の視野確保装置の後端部を内視鏡に装着した状態で示す斜視図、（Ｄ）は、本発明の第１実施形態の視野確保装置の先端部を示す断面図。
【図２】（Ａ）乃至（Ｄ）は、本発明の第１実施形態の視野確保装置の作用を示す説明図。
【図３】本発明の第２実施形態の視野確保装置を内視鏡に装着した状態で示す斜視図。
【図４】（Ａ）は、本発明の第２実施形態の視野確保装置を内視鏡に装着した状態で示す説明図、（Ｂ）は、本発明の第２実施形態の視野確保装置の第１の部品並びに保護部材を示す説明図、（Ｃ）は、本発明の第２実施形態の視野確保装置の第２の部品を示す説明図。
【図５】本発明の第２実施形態の視野確保装置の保護部材の装着方法を示す説明図。
【符号の説明】
１，４０…視野確保装置、６…内視鏡、８…挿入部、２４ａ，６６…第１のカバー、２４ｂ，６６…第２のカバー、２６ａ，４８…切り替え手段。
【図１】
2005052229.tif 000003
【図２】
2005052229.tif 000004
【図３】
2005052229.tif 000005
【図４】
2005052229.tif 000006
【図５】
2005052229.tif 000007